【手続補正書】
【提出日】平成28年3月4日(2016.3.4)
【手続補正１】
【補正対象書類名】特許請求の範囲
【補正対象項目名】全文
【補正方法】変更
【補正の内容】
【特許請求の範囲】
【請求項１】
第１の混合酸化金属と第２の混合酸化金属の固溶体を含む、ニッケルを含まない緑色の顔料であって、
a.   [124]スピネル構造をもつ前記第１の混合酸化金属が、
i.リチウムとナトリウムからなる群から選択された１以上の元素A
ii.コバルト、亜鉛、カルシウム、マグネシウム、銅からなる群から選択される１以上の元素B、及び
iii.チタン、マンガン、スズ及びゲルマニウムからなる群から選択される１以上の元素D
を含み
b.   [134]スピネル構造をもつ前記第２の混合酸化金属が、
i.リチウムとナトリウムからなる群から選択される１以上の元素A
ii.クロム、ホウ素、鉄、マンガン及びアルミニウムからなる群から選択される１以上の元素C、及び
iii.チタン、マンガン、スズ及びゲルマニウムからなる群から選択される１以上の元素D
を含み、かつ
c.ニッケルを含まない
顔料。
【請求項２】
請求項１のニッケルを含まない緑色の顔料であって、前記第１の混合酸化金属は式BA(D3A)O8を有するものである、顔料。
【請求項３】
請求項１のニッケルを含まない緑色の顔料であって、前記第２の混合酸化金属は式A2(C2D2)O8を有するものである、顔料。
【請求項４】
請求項１のニッケルを含まない緑色の顔料を含む塗料または被膜。
【請求項５】
黒色に対して１５％以上の総日射反射率を有する請求項4の塗料又は被膜。
【請求項６】
請求項１のニッケルを含まない緑色の顔料を含むプラスチック組成物。
【請求項７】
請求項１のニッケルを含まない緑色の顔料であって、800-1100nmの波長範囲にわたり50%以上の反射を有する、顔料。
【請求項８】
請求項１のニッケルを含まない緑色の顔料であって、DIN EN71/3:2013によれば1ppm未満の浸出し得るNiを有する、顔料。
【請求項９】
第１と第２の混合酸化金属の固溶体を含みニッケルを含まない緑色の顔料を調製する方法であって、
a. i の第１の混合酸化金属の粒子をii の第２の混合酸化金属の粒子と混合し混合物を調製する工程、
i. 以下とおり元素A, B, Dを含み、ニッケルを含まない[124]スピネル構造をもつ第１の混合酸化金属の粒子
1. リチウムとナトリウムからなる群から選択された１以上の元素A
2. コバルト、亜鉛、カルシウム、マグネシウム、銅からなる群から選択される１以上の元素B、及び
3. チタン、マンガン、スズ及びゲルマニウムからなる群から選択される１以上の元素Dを含み
4. ニッケルを含まない
ii. 以下のとおり元素A, C, Dを含み、ニッケルを含まない[134]スピネル構造をもつ第２の混合酸化金属の粒子
1.リチウムとナトリウムからなる群から選択される１以上
の元素A
2.クロム、ホウ素、鉄、マンガン及びアルミニウムからなる群から選択される１以上の元素C、及び
3.   チタン、マンガン、スズ及びゲルマニウムからなる群から選択される１以上の元素Dを含み、
4.   ニッケルを含まない
及び、
b.前記混合物を800-1700℃の温度で、1-1000分加熱し、緑色顔料の粒子と凝集物(agglomerates)のうち１以上を形成する工程、
を含む方法。
【請求項１０】
請求項９の方法であって、さらに毎分1-50℃の速度で室温にまで前記緑色顔料を冷却する工程を含む、方法。
【請求項１１】
請求項９の方法であって、さらに1-10ミクロンのD50サイズにまで顔料粒子又は凝集物のサイズを減少させる工程を含む、方法。
【請求項１２】
請求項９の方法であって、前記第１の混合酸化金属が式BA(D3A)O8を有するものである、方法。
【請求項１３】
請求項９の方法であって、前記第２の混合酸化金属が式A2(C2D2)O8を有するものである、方法。
【請求項１４】
緑色を基材に与える方法であって、第１と第２の混合酸化金属の固溶体を含有する、ニッケルを含まない緑色顔料を
a.   基材に塗布する工程  と
b.   焼成する工程  
を含み、
i.  前記第１の混合酸化金属は[124]スピネル構造を有し、
1. リチウムとナトリウムからなる群から選択される１以上の元素A
2. コバルト、亜鉛、カルシウム、マグネシウム、銅からなる群から選択される１以上の元素B、及び
3. チタン、マンガン、スズ及びゲルマニウムからなる群から選択される１以上の元素D  を含み、
4. ニッケルを含まない
ii. 前記第２の混合酸化金属は[134]スピネル構造を有し
1.リチウムとナトリウムからなる群から選択される１以上の元素A
2.   クロム、ホウ素、鉄、マンガン及びアルミニウムからなる群から選択される１以上の元素C、及び
3.   チタン、マンガン、スズ及びゲルマニウムからなる群から選択される１以上の元素D  を含み、
4.   ニッケルを含まない
ものである、方法。
【請求項１５】
請求項１４の方法であって、前記第１の混合酸化金属は式BA(D3A)O8を有するものである、方法。
【請求項１６】
請求項１４の方法であって、前記第２の混合酸化金属は式A2(C2D2)O8を有するものである、方法。
【請求項１７】
請求項１５の方法であって、前記第２混合酸化金属は、
式A2(C2D2)O8を有するものである、方法。
【請求項１８】
請求項１４の方法であって、前記基材は塗料、硬化性被膜、インク、プラスチック、ゴム、セラミック、エナメル、ガラスからなる群から選択されるものである、方法。
【請求項１９】
プラスチック組成物に緑色を与える方法であって、以下のaとｂを溶融混合することを含む方法であり、
a.   はプラスチック組成物であり
b.   は第１と第２の混合酸化金属の固溶体を含有するニッケルを含まない緑色の顔料であり、
i.  前記第１の混合酸化金属が[124]スピネル構造をもち、
1. リチウムとナトリウムからなる群から選択される１以上の元素A
2. コバルト、亜鉛、カルシウム、マグネシウム、銅からなる群から選択される１以上の元素B、及び
3.   チタン、マンガン、スズ及びゲルマニウムからなる群から選択される１以上の元素D  を含み、
4.   ニッケルを含まない、
ものであり、
ii. 前記第２の混合酸化金属が[134]スピネル構造をもち、
1.   リチウムとナトリウムからなる群から選択された１以上の元素A
2.   クロム、ホウ素、鉄、マンガン及びアルミニウムからなる群から選択される１以上の元素C、及び
3.   チタン、マンガン、スズ及びゲルマニウムからなる群から選択される１以上の元素D  を含み、
4.   ニッケルを含まない、
ものである、方法。
【請求項２０】
請求項１９の方法であって、前記第１の混合酸化金属は式BA(D3A)O8を有するものである、方法。
【請求項２１】
請求項１９の方法であって、前記第２の混合酸化金属は式A2(C2D2)O8を有するものである、方法。
【請求項２２】
請求項２０の方法であって、前記第２の混合酸化金属は式A2(C2D2)O8を有するものである、方法。
【請求項２３】
請求項１のニッケルを含まない緑色の顔料であって、前記顔料は、CoLi(Ti3Li)O8, CoLi(Ti3Na)O8, CoLi(Mn3Li)O8,  CoLi(Ge3Li)O8, CoLi(Mn3Na)O8, CoLi(Ge3Na)O8, CoLi(Sn3Li)O8, CoLi(Sn3Na)O8, CoNa(Ti3Li)O8, CoNa(Ti3Na)O8, CoNa(Mn3Li)O8, CoNa(Ti3Li)O8,  CoNa(Ge3Li)O8, CoNa(Mn3Na)O8, CoNa(Ge3Na)O8, CoNa(Sn3Li)O8,CoNa(Sn3Na)O8, ZnLi(Ti3Li)O8, ZnLi(Ti3Na)O8, ZnLi(Mn3Li)O8,  ZnLi(Ge3Li)O8, ZnLi(Mn3Na)O8, ZnLi(Ge3Na)O8, ZnLi(Sn3Li)O8, ZnLi(Sn3Na)O8, ZnNa(Ti3Li)O8, ZnNa(Ti3Na)O8, ZnNa(Mn3Li)O8, ZnNa(Ti3Li)O8, ZnNa(Ge3Li)O8, ZnNa(Mn3Na)O8, ZnNa(Ge3Na)O8, ZnNa(Sn3Li)O8, ZnNa(Sn3Na)O8, CaLi(Ti3Li)O8, CaLi(Ti3Na)O8, CaLi(Mn3Li)O8, CaLi(Ti3Li)O8, CaLi(Ge3Li)O8, CaLi(Mn3Na)O8, CaLi(Ge3Na)O8, CaLi(Sn3Li)O8, CaLi(Sn3Na)O8, CaNa(Ti3Li)O8, CaNa(Ti3Na)O8, CaNa(Mn3Li)O8, CaNa(Ge3Li)O8, CaNa(Mn3Na)O8, CaNa(Ge3Na)O8, CaNa(Sn3Li)O8, CaNa(Sn3Na)O8, MgLi(Ti3Li)O8, MgLi(Ti3Na)O8, MgLi(Mn3Li)O8, MgLi(Ti3Li)O8, MgLi(Ge3Li)O8, MgLi(Mn3Na)O8, MgLi(Ge3Na)O8, MgLi(Sn3Li)O8, MgLi(Sn3Na)O8, MgNa(Ti3Li)O8, MgNa(Ti3Na)O8, MgNa(Mn3Li)O8, MgNa(Ti3Li)O8, MgNa(Ge3Li)O8, MgNa(Mn3Na)O8, MgNa(Ge3Na)O8, MgNa(Sn3Li)O8, MgNa(Sn3Na)O8, CuLi(Ti3Li)O8, CuLi(Ti3Na)O8, CuLi(Mn3Li)O8, CuLi(Ge3Li)O8, CuLi(Mn3Na)O8, CuLi(Ge3Na)O8, CuLi(Sn3Li)O8, CuLi(Sn3Na)O8, CuNa(Ti3Li)O8, CuNa(Ti3Na)O8, CuNa(Mn3Li)O8, CuNa(Ti3Li)O8, CuNa(Ge3Li)O8, CuNa(Mn3Na)O8, CuNa(Ge3Na)O8, CuNa(Sn3Li)O8, CuNa(Sn3Na)O8及びそれらの組み合わせからなる群から選択される前記第１の混合酸化金属を含むものである、顔料。
【請求項２４】
請求項１または２３のニッケルを含まない緑色顔料であって、前記顔料は、Li2(Cr2Ti2)O8, Li2(Cr2Mn2)O8, Li2(Cr2Sn2)O8, Li2(Cr2Ge2)O8, Li2(B2Ti2)O8, Li2(B2Mn2)O8, Li2(B2Sn2)O8, Li2(B2Ge2)O8, Li2(Fe2Ti2)O8, Li2(Fe2Mn2)O8, Li2(Fe2Sn2)O8, Li2(Fe2Ge2)O8, Li2(Mn2Ti2)O8, Li2(Mn2Sn2)O8, Li2(Mn2Ge2)O8, Li2(Al2Ti2)O8, Li2(Al2Mn2)O8, Li2(Al2Sn2)O8, Li2(Al2Ge2)O8, Na2(Cr2Ti2)O8, Na2(Cr2Mn2)O8, Na2(Cr2Ge2)O8, Na2(Cr2Sn2)O8, Na2(B2Ti2)O8, Na2(B2Mn2)O8, Na2(B2Ge2)O8, Na2(B2Sn2)O8, Na2(Fe2Ti2)O8, Na2(Fe2Mn2)O8, Na2(Fe2Ge2)O8, Na2(Sn2Mn2)O8, Na2(Mn2Ti2)O8, Na2(Mn2Ge2)O8, Na2(Al2Ti2)O8, Na2(Al2Mn2)O8, Na2(Al2Sn2)O8, Na2(Al2Ge2)O8及びそれらの組み合わせからなる群から選択される前記第２の混合酸化金属を含むものである、顔料。
【手続補正２】
【補正対象書類名】明細書
【補正対象項目名】００２７
【補正方法】変更
【補正の内容】
【００２７】
主題である顔料組成物は［１２４］スピネルと［１３４］スピネルの固溶体である。一実施態様では、［１２４］スピネルはBA(D3A)O8の式を有する。一実施態様では、［１３４］スピネルはA2(C2D2)O8の式を有する。一実施態様では、［１２４］スピネルはBA(D3A)O8の式を有し、［１３４］スピネルはA2(C2D2)O8の式を有する。一実施態様では、［１２４］スピネルは(Co, Zn, Ca, Mg, Cu)(Li, Na)[(Ti, Mn, Sn, Ge)3(Li, Na)]O8、CoLi(Ti3Li)O8及びCo(1-x)ZnxLi(Ti3Li)O8(Xは0から1)からなる群から選択される式を有する。一実施態様では、［１３４］スピネルは式(Li, Na)２[(Cr, B, Fe, Mn, Al)2(Ti, Mn, Sn, Ge)2]O8を有する。一実施態様では、［１２４］スピネルは(Co, Zn, Ca, Mg, Cu)(Li, Na)[(Ti, Mn, Sn, Ge)3(Li, Na)]O8、CoLi(Ti3Li)O8及びCo(1-x)ZnxLi(Ti3Li)O8(xは0から１)からなる群から選択される式を有し、及び［１３４］スピネルは式(Li, Na)２[(Cr, B, Fe, Mn, Al)2(Ti, Mn, Sn, Ge)2]O8を有する。